(57)【要約】【課題】ファンフレームに二枚の回路基板が置けるようにし、それによって、回路基板が多くの電子素子を収納できるファン及びファンフレームを提供する。【解決手段】本発明のファンはファンフレームを含み、それは第一回路基板及び第二回路基板を収納するに用いられ、ファンフレームはハウジング、ベース及び少なくともサポート部材を含む。ベースはハウジング内に設けられ、且つハウジングの端面から予め定められた高さまで離されて、そこに収納スペースが形成される。ベースは連接する底部と軸管部とを有し、前記第一回路基板は回転子とベースとの間に設置され、前記第二回路基板は前記ベースの収納スペースに設けられる。サポート部材はハウジングとベースとの間に連接される。【選択図】図２
2008106739.tif 000002
【特許請求の範囲】
【請求項１】
ハウジング、ベース及び少なくとも一つのサポート部材を有し、前記ベースは前記ハウジング内に設けられ、前記ベースは底部と前記底部に連結される軸管部とを有し、前記底部は前記ハウジングの端面から予め定められた高さまで離れて、そこに収納スペースが形成され、前記サポート部材は前記ハウジングと前記底部との間に連接されるファンフレームと、
前記ベースの前記軸管部のある側に設けられる固定子と、
前記固定子と結合される回転子と、
前記ベースの一側に設けられる第一回路基板と、
前記ベースのもう１つの側に形成される収納スペース内に設けられる第二回路基板と、を含み、前記第一及び第二回路基板は前記固定子と電気的に連接されるファン。
【請求項２】
前記ファンフレームの底部は少なくとも１つの孔を有し、前記固定子は少なくとも一つのコイルを有し、前記第二回路基板は少なくとも一つの導線、ピン、端子或いは配線を前記孔に通すことで前記第一回路基板と前記コイルとに電気的に連接される請求項１に記載のファン。
【請求項３】
前記ファンフレームベースの底部は少なくとも一つの凸起部を有し、前記凸起部は前記第二回路基板に挿入される請求項１に記載のファン。
【請求項４】
前記第二回路基板は、前記凸起部を挿入させる或いははめさせる少なくとも１つのホール或いは切欠口を有し、前記凸起部は係合部材、リベット、ネジ或いはフックである請求項３に記載のファン。
【請求項５】
前記ベースはさらに、前記底部の周りに設けられ且つ平面或いは曲面である側壁を含む請求項１に記載のファン。
【請求項６】
前記側壁は凸起部を有し、前記第二回路基板と互いに係合される請求項５に記載のファン。
【請求項７】
前記ベースはさらに、前記収納スペースを封止する蓋板を含む請求項５に記載のファン。
【請求項８】
さらに、前記第一回路基板或いは前記第二回路基板の表面に塗布される密封接着剤を含み、前記密封接着剤は樹脂或いはシリコンである請求項１に記載のファン。
【請求項９】
前記ベースはさらに、前記軸管部を前記底部の一端の近くに封じ込む止め部材を含む請求項１に記載のファン。
【請求項１０】
第一回路基板及び第二回路基板を収納するのに用いられるファンフレームであって、
ハウジングと、
前記ハウジング内に設けられ、底部と軸管部とを有し、前記底部は前記ハウジングの端面から予め定められた高さまで離されており、前記軸管部は前記底部と連結され、前記第一回路基板がその一側に設けられ、前記第二回路基板がそのもう一側に形成される収納スペース内に設けられるベースと、
前記ハウジングと前記ベースとの間に連接される少なくとも１つのサポート部材と、を含むファンフレーム。
【発明の詳細な説明】
【技術分野】
【０００１】
本発明はファンに関し、特に少なくとも二枚の回路基板を収納でき、多くの電子素子を設置できるようなファン及びそのファンフレームを提供する。
【背景技術】
【０００２】
図１は従来のファンの説明図である。図１が示すように、前記従来のファン１はファンフレーム１０とその中に設けられるファンユニット２０とを含む。ファンフレーム１０はハウジング１１とベース１２とを有し、ベース１２は底部１２１と底部１２１の中央より垂直に延伸される軸管部１２２とから構成される。
【０００３】
ファンユニット２０は固定子２１、回転子２２及び回路基板２３を含み、回路基板２３の中央に1つのはめ孔が開設され、ベース１２の軸管部１２２がその中にはまるようになっており、これにより回路基板２３をベース１２に設置させる。固定子２１はベース１２の上に設けられ、且つ回路基板２３と電気接続し、回転子２２は固定子２１と結合し、且つ回転子２２と固定子２１との磁力作用によって、回転子２２が固定子２１に相対し回転することができる。
【０００４】
いまのファン１の設計から言えば、自動化且つ多機能化の方向で製作される傾向があるため、前記回路基板２３に設置しなければいけない電子素子の数がますます増える。しかし、従来の構造において、軸受けシステム構造の設計の制限を受け、回路基板２３の中心に１つのはめ孔を開設し、ベース１２の軸管部１２２をそこにはめなければならないが、それによって回路基板２３の上に置ける電子素子の面積が不足し、使用不便の問題を引き起こす。
【発明の開示】
【発明が解決しようとする課題】
【０００５】
本発明は上述の問題を解決するために、ファン及びファンフレームを提供し、ファンフレームに二枚の回路基板が置けるようにし、それによって、回路基板が多くの電子素子を収納できるようにする。
【０００６】
本発明のもう１つの目的は、ファン及びファンフレームにおいて、回路基板をファンフレームベースに固定する方法を提供することにある。
【課題を解決するための手段】
【０００７】
よって、本発明の目的に基づいて、ファンフレームを提供し、それは第一回路基板及び第二回路基板を収納するのに用いられる。ファンフレームはハウジング、ベース及び少なくとも１つのサポート部材を含む。ベースはハウジング内に設けられ、且つ底部と軸管部とを有し、底部はハウジングの端面から予め定められた高さまで離されており、軸管部は底部に連結され、第一回路基板は軸管部の底部と反対の側に設けられ、第二回路基板は底部の軸管部と反対の側に設けられ、サポート部材はハウジングとベースとの間に連接される。
【０００８】
本発明のさらなるもう１つの目的に基づいて、ファンを提供し、それはファンフレームとファンユニットとを含む。ファンフレームはハウジング、ベース、及び少なくともサポート部材を有し、ベースはハウジング内に設けられ、ベースは底部と底部に連結される軸管部とを有し、底部はハウジングの端面から予め定められた高さまで離されている。サポート部材はハウジングとベースとの間に連接される。前記第一回路基板はベースの軸管部の底部と反対の側に設けられ、前記第二回路基板はベースの底部の軸管部と反対の側に設けられる。且つ第二回路基板の周縁は切欠口或いはホールを有しているため、回転させて係合する或いは引っかけて固定する或いはネジ止めする或いはリベット止めするという方式で底部表面に固定される。二つの回路基板は固定子と電気接続される。
【発明の効果】
【０００９】
本発明に基づくファン及びそのファンフレームは、ファンフレームのベースがハウジングの端面から予め定められた高さまで離されているため、従来の構造と比べると、本発明のファンは、従来のように回路基板をベースの軸管部の底部と反対の側に設置する以外に、さらにもう１つの回路基板を増加し、ベースの底部の軸管部と反対の側に設置でき、それによって、回路基板がより多くのスペースを有し、多くの電子素子を設置できる。さらに、前記第二回路基板の周囲は切欠口或いはホールを有しているため、回転させて係合する或いは引っかけて固定する或いはネジ止めする或いはリベット止めするという方式で底部表面に固定され、組み立ての利便性及び製品の信頼性を提供できる。且つ密封接着剤を回路基板に塗布することで、回路基板が密封接着剤に覆われ、さらに回路基板を外界の水気、埃或いは塩霧の侵蝕から完全に防ぐことができる。
【発明を実施するための最良の形態】
【００１０】
本発明の上記に述べた目的、特長、長所等をさらに分り易く、好ましい実施形態のファン及びファンフレームをあげ、且つ図面をもって下記の通り説明を行う。
【００１１】
図２を参照すると、本発明の好ましい実施形態のファン３であり、前記ファン３はファンフレーム３０とファンユニット４０とを含む。前記ファンフレーム３０はハウジング３１、ベース３２及び複数のサポート部材３３を有する。前記ハウジング３１の断面はおおむね円形を呈し、もちろん四角形、楕円形或いは菱形の設計となることもでき、実際の製品の必要に応じて設計できる。
【００１２】
前記ベース３２は前記ハウジング３１内に設けられ、且つ前記ベース３２は底部３２１及び底部３２１の中央より垂直に延伸される軸管部３２２を有する。また、底部３２１はハウジング３１の端面から予め定められた高さまで離されているため、底部３２１とハウジング３１の端面との間に収納スペース４５が形成される。つまり、ベース３２の底部３２１はハウジング内部に入り込んでいる。本実施形態において、ベース３２の底部３２１はさらに二つの孔３２３を有する。さらに、ベース３２はさらに側壁３２４を含み、それはベース３２の底部３２１の周縁に環設され、且つ側壁３２４と底部３２１とは側壁３２４と底部３２１のなす角として夾角を有し、夾角は９０度を呈する。もちろん本発明は夾角の角度の制限はなく、ファン３の実際の排出の状況に基づいて、夾角を変更できる。そのほかに、図２に表示の側壁３２４は平面である。もちろん、曲面の設計にもできる。
【００１３】
前記ベース３２はさらに止め部材３２５を含むことができ、それは、軸管部３２２を底部３２１の一端の近くに封じ込めるものである。止め部材３２５はオイルシール、パッド或いはその他の部材にすることができる。また、図２において、前記ベース３２はさらに蓋板３２６を含み、底部３２１における軸管部３２２と反対の側に設置され、且つ蓋板３２６の周縁は側壁３２４と連接し嵌め合わせられている。これによって前記ベース３２をハウジング３１の収納スペースに入れ、閉じ込めることができる。
【００１４】
図２と図３とのように、複数のサポート部材３３はそれぞれハウジング３１とベース３２との間に連接され、且つサポート部材３３はベース３２とハウジング３１との間に連接される。本実施形態のサポート部材３３はリブを例とする。もちろん、サポート部材３３の設計をインペラとすることもでき、さらに気流がファンフレーム３０に流入或いは流出しやすいようにする。
【００１５】
さらに図２を参照すると、前記ファンユニット４０は固定子４１、回転子４２、第一回路基板４３及び第二回路基板４４を含む。固定子４１はベース３２の底部３２１の軸管部３２２がある方の側に設けられ、且つ固定子４１は複数個のコイルと二つのベアリングとを有することができ、各コイルは軸管部３２２の周縁に隣設され、各ベアリングはそれぞれ軸管部３２２の両端に設けられる。
【００１６】
前記第二回路基板４４は底部３２１の軸管部３２２と反対の側に形成される収納スペース４５内に設けられ、且つ固定子４１のコイルと電気接続する。本実施形態において、前記第二回路基板４４は、二つのピン４３１をそれぞれベース３２の孔３２３に挿入させた後に、第一回路基板４３及び固定子４１のコイルと電気接続し、且つ各ピン４３１は第二回路基板４４をベース３２に定位させる機能を有する。さらに第二回路基板４４は、ピン４３１を利用して固定子４１と電気接続する以外に、回路基板４４は二つの導線、端子或いは配線を利用し（図には示されていない）、それぞれ各孔３２３に挿入することもでき、同様に固定子４１と電気接続でき、さらにこの二つの導線を利用し、第二回路基板４４をベース３２に設置することができる。
【００１７】
また、第二回路基板４４がピン４３１或いは導線を利用して、ベース３２に定位される方式以外に、図４A、図４B、図５A及び図５Bに示すように、ベース３２はさらに複数の係合部材５１或いは５２を有することができる。各係合部材５１或いは５２が底部３２１の軸管部３２２とは反対のもう一つの側或いはベース側壁３２４に凸設されることで、第二回路基板４４を、ホール４４１或いは切欠口４４２により挿入或いははめた後、回転させ係合部材５１或いは５２に係合することにより、目的の定位に達することができる。図６A、図６B及び図７に示すように、リベット５３或いはネジ５４を利用して直接第二回路基板４４のホール４４３に挿入してリベット止め或いはねじ止めで目的の定位に達することもできる。また、図８A、図８B、図９A及び図９Bに示すように、ベース３２は複数のフック５５或いは５６を有し、各フック５５或いは５６は底部３２１の軸管部３２２とは反対のもう一つの側に凸設され、それによって、第二回路基板４４を、ホール４４４或いは切欠口４４５を利用し引っかけ止めることによって定位させることができる。もちろん、第二回路基板４４は直接にベース３２と接触させることもでき或いはそのほかの方式を利用し定位することができる。
【００１８】
図２のように、本発明のファン３はさらに密封接着剤４６を含み、その材質は樹脂或いはシリコン（silicon）であり、密封接着剤４６は回路基板４３及び４４の表面に塗布され、外界からの水気、埃或いは塩霧が回路基板４３及び４４に侵蝕するのを防ぐことができる。
【００１９】
上述により、本発明のファンはファンフレームのベースがハウジングの端面から予め定められた高さまで離されており、従来の構造と比べると、第二回路基板は、ベースの底部の軸管部とは反対の側に形成される収納スペース内に設けられるため、回路基板においてスペースが大幅に増加し、より多くの電子素子が設けられるようになる。
【００２０】
以上、好適な実施例を挙げて本発明を説明したが、本発明はこれら実施例に限定はされないと解されるべきであり、つまり本発明は、（当業者であれば自明であるような）各種変更および均等なアレンジをカバーするものである。上に掲げた実施例は、本発明の原理を説明するための最良の態様を提示すべく選択し記載したものである。即ち、添付の特許請求の範囲は、かかる各種変更および均等なアレンジが全て包含されるように、最も広い意味に解釈されるべきである。
【図面の簡単な説明】
【００２１】
【図１】従来ファンの説明図である。
【図２】本発明のファンの説明図である。
【図３】本発明のファンの立体分解の説明図である。
【図４Ａ】本発明の第二回路基板とファンフレームを回転させて係合する方式で定位させた際の説明図である。
【図４Ｂ】本発明の回転させて係合する方式で定位させる時の孔を有する第二回路基板の説明図である。
【図５Ａ】本発明のもう１つの第二回路基板とファンフレームを回転させて係合する方式で定位させた際の説明図である。
【図５Ｂ】本発明のもう１つの回転させて係合する方式で定位させる時の切欠口を有する第二回路基板の説明図である。
【図６Ａ】本発明の第二回路基板とファンフレームをリベット止めで定位させた際の説明図である。
【図６Ｂ】本発明のリベット或いはねじ止めで定位させた時の孔を有する第二回路基板の説明図である。
【図７】本発明の第二回路基板とファンフレームをねじ止めで定位させた際の説明図である。
【図８Ａ】本発明の第二回路基板とファンフレームをフックの固定により定位させた際の説明図である。
【図８Ｂ】本発明のフックの固定により定位させた時の孔を有する第二回路基板の説明図である。
【図９Ａ】本発明の第二回路基板とファンフレームをもう１つのフックを利用し、定位させた際の説明図である。
【図９Ｂ】本発明のもう１つのフックの固定を利用した時の切欠口を有する第二回路基板の説明図である。
【符号の説明】
【００２２】
３          ファン                  ３０      ファンフレーム
３１        ハウジング              ３２      ベース
３２１      底部                    ３２２    軸管部
３２３      孔                      ３２４    側壁
３２５      止め部材                ３２６    蓋板
３３        サポート部材            ４０      ファン部材
４１        固定子                  ４２      回転子
４３        第一回路基板            ４３１    ピン
４４        第二回路基板            ４４１、４４３、４４４  ホール
４４２、４４５  切欠口              ４５      収納スペース
４６        密封接着剤              ５１、５２係合部材
５３        リベット                ５４      ネジ
５５、５６  フック  
【図１】
2008106739.tif 000003
【図２】
2008106739.tif 000004
【図３】
2008106739.tif 000005
【図４Ａ】
2008106739.tif 000006
【図４Ｂ】
2008106739.tif 000007
【図５Ａ】
2008106739.tif 000008
【図５Ｂ】
2008106739.tif 000009
【図６Ａ】
2008106739.tif 000010
【図６Ｂ】
2008106739.tif 000011
【図７】
2008106739.tif 000012
【図８Ａ】
2008106739.tif 000013
【図８Ｂ】
2008106739.tif 000014
【図９Ａ】
2008106739.tif 000015
【図９Ｂ】
2008106739.tif 000016